(57)【要約】【課題】画面にリモコン操作案内映像とリモコン操作で変化する映像を一緒に表示させ、上記映像を見ながらリモコンの操作を行うテレビジョン、または映像出力装置の提供を目的とする。【解決手段】外部から入力された映像信号を基に表示パネルに映像を表示するための映像信号を生成する第一の映像生成手段と、リモコンからの指示に基づいて、画面上に上記リモコンの操作説明を行うためのリモコン操作案内映像を生成する第二の映像生成手段とを有する映像出力装置において、上記第一の映像生成手段にて生成される映像信号の画面サイズの縮小を行う画素数変換手段と、上記画素数変換手段にて画面サイズの縮小が行われた映像信号を上記第二の映像生成手段にて生成されるリモコン操作案内映像とを合成する映像合成手段とを有する。【選択図】図５
2007228163.tif 000002
【特許請求の範囲】
【請求項１】
映像を表示する表示パネルと、
アンテナが受信したテレビジョン放送より所定の番組に対応するテレビジョン放送を抽出するチューナ回路と、
上記チューナ回路が抽出したテレビジョン放送より映像信号と音声信号を生成するクロマＩＣ回路と、
上記クロマＩＣ回路から出力される映像信号を基に一画面単位でのＲＧＢ信号を生成する映像信号処理回路と、
上記生成されたＲＧＢ信号を上記表示パネルの画面サイズに対応するよう変換するスケーラ回路と、
上記変換されたＲＧＢの各信号を基に、上記表示パネルを表示するための駆動電圧を生成する駆動回路と、
所定の文字列や映像を構成するＯＳＤ映像データを記録したメモリを有し、上記メモリからのＯＳＤ映像データを基に画面上で所定のアイコンを選択することにより次画面に切り替わる階層構造を有する映像であるＯＳＤ映像を生成するＯＳＤ部と、
押圧することで画面の選択や音量の調整を行う操作信号を出力する操作入力キーと、押圧することで上記ＯＳＤ部に上記操作入力キーの操作説明を行うためのＯＳＤ映像を生成させる操作案内表示信号を出力するヘルプキーとを有するリモコンと、
上記リモコンからの操作信号と操作案内表示信号に対応した赤外線信号を出力する赤外線送信部と、
上記赤外線送信部からの信号を基に、所定の電気信号に変換する赤外線受光変換部と、  上記赤外線受光変換部からの信号を基に、上記チューナ回路とクロマＩＣ回路と映像信号処理回路とスケーラ回路と駆動回路とＯＳＤ部とを制御するマイコンとを具備するテレビジョンにおいて、
上記ＯＳＤ部は、
上記マイコンから出力される操作案内表示信号を検知する検知部と、
上記メモリに記録されたＯＳＤ映像データに基づいて、画面の下部に表示された上記リモコンの操作説明文を画面上で選択すると、上記選択された操作説明文を説明するために、画面の右側に表示された上記リモコンの操作入力キーの配置図が上記選択された操作説明文に対応する操作に基づいて点滅することで上記リモコンの操作説明を案内するリモコン操作案内映像を生成するリモコン操作案内映像生成部と、
上記検知部が上記ヘルプキーを押圧することで出力される操作案内表示信号を検知すると、上記リモコン操作案内映像生成部にて生成された上記リモコン操作案内映像の所定の階層の映像を選択して出力するリモコン操作案内映像出力部とを有し、
上記スケーラ回路は、
上記リモコンから上記マイコンを介して操作案内表示信号が出力されたことを検知すると、上記ＲＧＢ信号の画面サイズの縮小を行う画素数変換部と、
上記画素数変換部にて画面サイズの縮小が行われたＲＧＢ信号を画面の左上側に表示するよう、上記リモコン操作案内映像生成部にて生成されるリモコン操作案内映像と合成する映像合成部とを有し、
上記マイコンは、
上記リモコンからの指示に基づいて、上記リモコン操作案内映像出力部に、上記リモコン操作案内映像より、使用者のリモコン操作の習熟度に合わせて上級、中級、初級の３段階のレベルに対応して上記リモコン操作案内映像の上記操作説明文や、同操作説明文に対応するリモコンの操作入力キーの配置図の点滅が省略された映像を選択することを指示するリモコン操作案内映像変更プログラムと、
上記リモコン操作案内映像変換プログラムを、上記ヘルプキーを押圧することで解除し、上記リモコン操作案内映像出力部に初級に対応したリモコン操作案内映像を表示する省略解除プログラムとを記録する記録部とを有することを特徴とするテレビジョン。
【請求項２】
外部から入力された映像信号を基に表示パネルに映像を表示するための映像信号を生成する第一の映像生成手段と、
リモコンからの指示に基づいて、画面上に上記リモコンの操作説明を行うためのリモコン操作案内映像を生成する第二の映像生成手段とを有する映像出力装置において、
上記第一の映像生成手段にて生成される映像信号の画面サイズの縮小を行う画素数変換手段と、
上記画素数変換手段にて画面サイズの縮小が行われた映像信号と上記第二の映像生成手段にて生成されるリモコン操作案内映像とを合成する映像合成手段とを有することを特徴とする映像出力装置。
【請求項３】
上記リモコンは、上記第二の映像生成手段にリモコン操作案内映像を生成する指示を出すヘルプキーを有し、
上記第二の映像生成手段は、
画面の下部に表示された上記リモコンの操作説明文を、画面の右側に表示された同リモコンの操作入力キーの配置図を同操作説明文に基づいて点滅することで案内していくリモコン操作案内映像を生成するリモコン操作案内映像生成手段と、
上記ヘルプキーを押圧した際、上記リモコン操作案内映像を選択して出力するリモコン操作案内映像出力手段とを有することを特徴とする請求項２に記載の映像出力装置。
【請求項４】
上記第二の映像生成手段は、上記リモコンからの指示に基づいて、上記リモコン操作案内映像出力手段に上記リモコン操作案内映像を変更するよう指示を出すリモコン操作案内映像変更プログラムを記録する記録部を有することを特徴とする請求項３に記載の映像出力装置。
【請求項５】
上記記録部が記録するリモコン操作案内映像変更プログラムは、使用者のリモコン操作の習熟度に合わせて、上記リモコン操作案内映像の上記操作説明文や、同操作説明文に対応するリモコンの操作入力キーの配置図の点滅を省略するよう上記リモコン操作案内映像出力手段に指示を出すことを特徴とする請求項４に記載の映像出力装置。
【請求項６】
上記記録部は、上記リモコン操作案内映像を省略する上記リモコン操作案内映像変換プログラムを、上記ヘルプキーを押圧した場合に解除し、上記リモコン操作案内映像出力手段に再度上記リモコン操作案内映像を出力させる省略解除プログラムを記録することを特徴とする請求項４または請求項５に記載の映像出力装置。
【請求項７】
上記第二の映像生成手段は、所定の文字や映像を構成するＯＳＤ映像データを記録したメモリを有し、上記メモリからの映像データを基に画面上で所定のアイコンを選択することにより次画面に切り替わる階層構造を有するＯＳＤ映像を生成するＯＳＤ部にて実現され、
上記画素数変換手段と、上記映像合成手段とは、入力された映像信号を上記表示パネルの画面サイズに対応するよう変換するスケーラ回路にて実現されることを特徴とする請求項２〜請求項６のいずれかに記載の映像出力装置。
【発明の詳細な説明】
【技術分野】
【０００１】
本発明は、画面上にリモコンの操作説明案内が表示されるテレビジョン、または映像出力装置に関する。
【背景技術】
【０００２】
テレビジョンを含めた映像出力装置は、リモコンからの遠隔操作によって本体側を制御するが、映像出力装置の本体の機能は年々追加されておりそれに対応するためのキーをリモコン側にも配置してきた。しかしながら、キーの追加をすることで、それだけユーザ側は新たな操作を覚える必要があり、ユーザ側にリモコン操作の複雑化を招いてしまっていた。
【０００３】
上記リモコン操作の複雑さを解消するために、画面上でリモコンのキー配置図と、上記キー配置図に対応した説明文を表示して画面上でリモコン操作説明を行う方法が知られている（例えば、特許文献１参照。）。
【０００４】
また、画面上でリモコンのキー配置図が表示され、ユーザがリモコンの所定のキーを押圧すると、画面上の上記押圧されたキーに対応したキーが点滅するとともに、上記点滅したキーの操作説明を表示する方法が知られている（例えば、特許文献２参照。）。
【０００５】
また、リモコンの所定の操作を行うのに、本体から所定の信号を出力して次に操作可能なキーを点滅させることでユーザに操作方法を説明する方法が知られている（例えば、特許文献３参照。）。
【０００６】
また、リモコンに設けられた簡易操作モードキーを押すと、画面上に操作キーの画像と機能説明が表示される機能が知られている（例えば、特許文献４参照。）。
【特許文献１】特開２００５−２６９２４９
【特許文献２】特開平９−１３０６９５
【特許文献３】特開２００３−１４３４３５
【特許文献４】特開２００１−２８５９６５
【発明の開示】
【発明が解決しようとする課題】
【０００７】
上述した特許文献１、特許文献２、請求項４の発明は次のような課題があった。つまり、リモコンの操作キーの説明を画面上で表示するがテレビジョン放送などの映像を一緒に表示させないためリモコン操作に映像や音声がどう変化するかがリアルタイムで確認できなかった。
【０００８】
また、上述した特許文献３の発明は次のような課題があった。つまり、リモコンの操作キーを点滅させて操作方法を説明する方法では、複雑な操作を有する映像には対応させることが難しかった。
【０００９】
本発明は、上記課題にかんがみてなされたものであり、画面にリモコン操作案内映像とリモコン操作で変化する映像を一緒に表示させ、上記映像を見ながらリモコンの操作を行うテレビジョン、または映像出力装置の提供を目的とする。
【課題を解決するための手段】
【００１０】
上記課題を解決するために、請求項１に記載の発明は、映像を表示する表示パネルと、アンテナが受信したテレビジョン放送より所定の番組に対応するテレビジョン放送を抽出するチューナ回路と、上記チューナ回路が抽出したテレビジョン放送より映像信号と音声信号を生成するクロマＩＣ回路と、上記クロマＩＣ回路から出力される映像信号を基に一画面単位でのＲＧＢ信号を生成する映像信号処理回路と、上記生成されたＲＧＢ信号を上記表示パネルの画面サイズに対応するよう変換するスケーラ回路と、上記変換されたＲＧＢの各信号を基に、上記表示パネルを表示するための駆動電圧を生成する駆動回路と、所定の文字列や映像を構成するＯＳＤ映像データを記録したメモリを有し、上記メモリからのＯＳＤ映像データを基に画面上で所定のアイコンを選択することにより次画面に切り替わる階層構造を有する映像であるＯＳＤ映像を生成するＯＳＤ部と、押圧することで画面の選択や音量の調整を行う操作信号を出力する操作入力キーと、押圧することで上記ＯＳＤ部に上記操作入力キーの操作説明を行うためのＯＳＤ映像を生成させる操作案内表示信号を出力するヘルプキーとを有するリモコンと、上記リモコンからの操作信号と操作案内表示信号に対応した赤外線信号を出力する赤外線送信部と、上記赤外線送信部からの信号を基に、所定の電気信号に変換する赤外線受光変換部と、上記赤外線受光変換部からの信号を基に、上記チューナ回路とクロマＩＣ回路と映像信号処理回路とスケーラ回路と駆動回路とＯＳＤ部とを制御するマイコンとを具備するテレビジョンにおいて、
上記ＯＳＤ部は、上記マイコンから出力される操作案内表示信号を検知する検知部と、上記メモリに記録されたＯＳＤ映像データに基づいて、画面の下部に表示された上記リモコンの操作説明文を画面上で選択すると、上記選択された操作説明文を説明するために、画面の右側に表示された上記リモコンの操作入力キーの配置図が上記選択された操作説明文に対応する操作に基づいて点滅して上記リモコンの操作説明を案内するリモコン操作案内映像を生成するリモコン操作案内映像生成部と、上記検知部が上記ヘルプキーを押圧することで出力される操作案内表示信号を検知すると、上記リモコン操作案内映像生成部にて生成された上記リモコン操作案内映像の所定の階層の映像を選択して出力するリモコン操作案内映像出力部とを有し、
上記スケーラ回路は、上記リモコンから上記マイコンを介して操作案内表示信号が出力されたことを検知すると、上記ＲＧＢ信号の画面サイズの縮小を行う画素数変換部と、
上記画素数変換部にて画面サイズの縮小が行われたＲＧＢ信号を画面の左上側に表示するよう、上記リモコン操作案内映像生成部にて生成されるリモコン操作案内映像と合成する映像合成部とを有し、
上記マイコンは、上記リモコンからの指示に基づいて、上記リモコン操作案内映像出力部に、上記リモコン操作案内映像より、使用者のリモコン操作の習熟度に合わせて上級、中級、初級の３段階のレベルに対応して上記リモコン操作案内映像の上記操作説明文や、同操作説明文に対応するリモコンの操作入力キーの配置図の点滅が省略された映像を選択することを指示するリモコン操作案内映像変更プログラムと、上記リモコン操作案内映像変換プログラムを、上記ヘルプキーを押圧することで解除し、上記リモコン操作案内映像出力部に初級に対応したリモコン操作案内映像を表示する省略解除プログラムとを記録する記録部とを有する構成である。
【００１１】
ようするに、上記課題を解決するために、請求項１に記載の発明は、表示パネルと、チューナ回路と、クロマＩＣ回路と、映像信号処理回路と、スケーラ回路と、駆動回路と、ＯＳＤ部と、操作入力キーとヘルプキーとを有するリモコンと、赤外線送信部と、赤外線受光変換部と、マイコンとを具備するテレビジョンである。
【００１２】
ＯＳＤ部は、リモコンの操作案内映像を表示するために検知部と、リモコン操作案内映像生成部と、リモコン操作案内映像出力部とを有する。検知部は、上記マイコンから出力される操作案内表示信号を検知する。リモコン操作案内映像生成部は、メモリに記録されたＯＳＤ映像データに基づいて、画面の下部に表示された上記リモコンの操作説明文を画面上で選択すると、上記選択された操作説明文を説明するために、画面の右側に表示された上記リモコンの操作入力キーの配置図が上記選択された操作説明文に対応する操作に基づいて点滅する映像が階層状に構成されることで上記リモコンの操作説明を案内するＯＳＤ映像であるリモコン操作案内映像を生成する。リモコン操作案内映像出力部は、上記検知部が上記ヘルプキーを押圧することで出力される操作案内表示信号を検知すると、上記リモコン操作案内映像生成部にて生成された上記リモコン操作案内映像の所定の階層の映像を選択して出力する。
【００１３】
スケーラ回路は、画素数変換部と映像合成部とを有し、上記ＯＳＤ部で生成されたリモコン操作案内映像と映像信号処理回路から出力された映像とを合成する。画素数変換回路は、上記リモコンから上記マイコンを介して操作案内表示信号が出力されたことを検知すると、上記ＲＧＢ信号の画面サイズの縮小を行う。映像合成部は、上記画素数変換部にて画面サイズの縮小が行われたＲＧＢ信号を画面の左上側に表示するよう、上記リモコン操作案内映像生成部にて生成されるリモコン操作案内映像と合成する。
【００１４】
マイコンは、所定のプログラムを記録する記録部を有する。上記記録部は、上記リモコンからの指示に基づいて、上記リモコン操作案内映像出力部に、上記リモコン操作案内映像の階層構造より、使用者のリモコン操作の習熟度に合わせて上級、中級、初級の３段階のレベルに対応して上記リモコン操作案内映像の上記操作説明文や、同操作説明文に対応するリモコンの操作入力キーの配置図の点滅が省略された映像を選択することを指示するリモコン操作案内映像変更プログラムと、上記リモコン操作案内映像変換プログラムを、上記ヘルプキーを押圧することで解除し、上記リモコン操作案内映像出力部に初級に対応したリモコン操作案内映像を表示する省略解除プログラムとを記録する。
【００１５】
また、請求項２に記載の発明は、外部から入力された映像信号を基に表示パネルに映像を表示するための映像信号を生成する第一の映像生成手段と、リモコンからの指示に基づいて、画面上に上記リモコンの操作説明を行うためのリモコン操作案内映像を生成する第二の映像生成手段とを有する映像出力装置において、
上記第一の映像生成手段にて生成される映像信号の画面サイズの縮小を行う画素数変換手段と、上記画素数変換手段にて画面サイズの縮小が行われた映像信号を上記第二の映像生成手段にて生成されるリモコン操作案内映像とを合成する映像合成手段とを有する構成である。
【００１６】
ようするに、外部から入力された映像信号を基に表示パネルに映像を表示するための映像信号を生成する第一の映像生成手段と、リモコンからの指示に基づいて、画面上に上記リモコンの操作説明を行うためのリモコン操作案内映像を生成する第二の映像生成手段とを有する映像出力装置において、
上記第一の映像生成手段にて生成される映像信号は、画素数変換手段によって画面サイズの縮小を行われる。映像合成手段は、上記画素数変換手段にて画面サイズの縮小が行われた映像信号を上記第二の映像生成手段にて生成されるリモコン操作案内映像とを合成する。
【００１７】
また、請求項３に記載の発明は請求項２に記載の映像出力装置であって、上記リモコンは、上記第二の映像生成手段にリモコン操作案内映像を生成する指示を出すヘルプキーを有し、
上記第二の映像生成手段は、画面の下部に表示された上記リモコンの操作説明文を、画面の右側に表示された同リモコンの操作入力キーの配置図を同操作説明文に基づいて点滅することで案内していくリモコン操作案内映像を生成するリモコン操作案内映像生成手段と、上記ヘルプキーを押圧した際、上記リモコン操作案内映像を選択して出力するリモコン操作案内映像出力手段とを有する構成である。
【００１８】
ようするに、請求項２に記載の映像出力装置であって、第二の映像生成手段は、画面の下部に表示された上記リモコンの操作説明文を、画面の右側に表示された同リモコンの操作入力キーの配置図を同操作説明文に基づいて点滅することで案内していくリモコン操作案内映像を生成し、ヘルプキーを押圧した際、上記生成されたリモコン操作案内映像は、リモコン操作案内映像出力手段にて所定の映像を選択して出力される。
【００１９】
また、請求項４に記載の発明は請求項３に記載の映像出力装置であって、上記第二の映像生成手段は、上記リモコンからの指示に基づいて、上記リモコン操作案内映像出力手段に上記リモコン操作案内映像を変更するよう指示を出すリモコン操作案内映像変更プログラムを記録する記録部を有する構成である。
【００２０】
ようするに、請求項３に記載の映像出力装置であって、上記第二の映像生成手段は、所定のプログラムを記録する記録部を有する。上記記録部に記録されたリモコン操作案内映像変換プログラムは、上記リモコンからの指示に基づいて、上記リモコン操作案内映像出力手段に上記リモコン操作案内映像を変更するよう指示を出す。
【００２１】
また、請求項５に記載の発明は請求項４に記載の映像出力装置であって、上記記録部が記録するリモコン操作案内映像変更プログラムは、使用者のリモコン操作の習熟度に合わせて、上記リモコン操作案内映像の上記操作説明文や、同操作説明文に対応するリモコンの操作入力キーの配置図の点滅を省略するよう上記リモコン操作案内映像出力手段に指示を出す構成である。
【００２２】
ようするに、請求項４に記載の映像出力装置であって、リモコン操作案内映像変更プログラムは、使用者のリモコン操作の習熟度に合わせて、上記リモコン操作案内映像の上記操作説明文や、同操作説明文に対応するリモコンの操作入力キーの配置図の点滅を省略するよう上記リモコン操作案内映像出力手段に指示を出す。
【００２３】
また、請求項６に記載の発明は請求項４または請求項５に記載の映像出力装置であって、上記記録部は、上記リモコン操作案内映像を省略する上記リモコン操作案内映像変換プログラムを、上記ヘルプキーを押圧した場合に解除し、上記リモコン操作案内映像出力手段に再度上記リモコン操作案内映像を出力させる省略解除プログラムを記録する構成である。
【００２４】
つまり、請求項４または請求項５に記載の映像出力装置であって、上記記録部は、省略解除プログラムを記録する。上記省略解除プログラムは、上記リモコン操作案内映像を省略する上記リモコン操作案内映像変換プログラムを、上記ヘルプキーを押圧した場合に解除し、上記リモコン操作案内映像出力手段に再度上記リモコン操作案内映像を出力させる。
【００２５】
また、請求項７に記載の発明は請求項２〜請求項６のいずれかに記載の映像出力装置であって、上記第二の映像生成手段は、所定の文字や映像を構成するＯＳＤ映像データを記録したメモリを有し、上記メモリからの映像データを基に画面上で所定のアイコンを選択することにより次画面に切り替わる階層構造を有するＯＳＤ映像を生成するＯＳＤ部にて実現され、上記画素数変換手段と、上記映像合成手段とは、入力された映像信号を上記表示パネルの画面サイズに対応するよう変換するスケーラ回路にて実現される構成である。
【００２６】
つまり、請求項２〜請求項６のいずれかに記載の映像出力装置であって、上記第二の映像生成手段は、ＯＳＤ部内にて実現され、上記画素数変換手段と、上記映像合成手段とは、スケーラ回路内にて実現される。
【発明の効果】
【００２７】
以上説明したように請求項１、請求項２にかかる発明は、外部から入力された映像を表示させたまま、リモコンの操作案内映像を表示できるので、リアルタイムでリモコン操作の確認が可能である。
また、請求項１、請求項３にかかる発明は、画面の右側に表示された同リモコンの操作入力キーの配置図を同操作説明文に基づいて点滅することで案内していくので、リモコン操作に不慣れなユーザでも画面で確認しながらリモコン操作を行うことができる。
また、請求項１、請求項４にかかる発明は、リモコンの操作案内の内容を変更できるので、リモコン操作の習熟度に応じて操作案内を変更することができる。
また、請求項１、請求項５にかかる発明は、ユーザのリモコン操作案内の習熟度に応じてリモコン操作案内映像の内容を省略できるので、ユーザのリモコンの習熟度に応じたリモコン操作案内映像を提供することができる。
また、請求項１、請求項６にかかる発明は、一度省略したリモコン操作案内映像を再度表示できるので、ユーザ個々のリモコンの習熟度に対応することができる。
また、請求項１、請求項７にかかる発明は、ＯＳＤ部とクロマ回路にて実現されるので既存のテレビジョンに適応させることができる。
【発明を実施するための最良の形態】
【００２８】
本発明の実施形態としてテレビジョンを例に以下の項目に従って説明していくが、本発明はテレビジョンに限定されるものではなく、ＤＶＤ再生装置や、プロジェクタといった画面に映像を表示させるものであれば本発明を適応することが可能である。
（１）テレビジョンの構成
（２）実施例
（３）変形例１
（４）変形例２
（５）まとめ
【００２９】
（１）テレビジョンの構成
本発明のテレビジョン１０は、表示パネル３ｂと、チューナ回路１ａと、クロマＩＣ回路１ｂと、映像信号処理回路１ｃと、スケーラ回路２と、駆動回路３ａと、ＯＳＤ部７と、リモコン８と、赤外線送信部８ｃと、赤外線受光変換部５ａと、マイコン５とから構成されている。図１はテレビジョン１０の構成を示すブロック構成図である。同図より、テレビジョン１０はバス９に並列に接続され、リモコン８からの指示に基づいてマイコン５が各構成要素を制御することによりテレビジョン１０の機能を実現している。以下にテレビジョン１０の機能につて説明していく。 
【００３０】
図２は本発明のリモコン８の概略図である。同図より、リモコン８は、概略、操作入力キー８ａとヘルプキー８ｂとを有する構成である。操作入力キー８ａは、チャンネルを選択するための複数の番号キー８ａ１や、音声の増幅に使用される音声キー８ａ２や、ＯＳＤ画面での上下のアイコン選択を行うアップダウンキー８ａ３、さらに、ＯＳＤ画面での所定のメニューを選択するメニューキー８ａ４とを有し、上記各ボタンキーを押圧することで各キーに対応した所定の電圧値を出力する。上記電圧値は、マイコン５に画面に表示するチャンネルの切替を行うよう指示を出すチャンネル切替信号や、スピーカ４ｂから出力する音量の調整を行うよう指示を出す音量調整信号等を含む操作信号に対応している。ヘルプキー８ｂは、リモコン８の筐体から付勢して配置され、押圧することで所定の電圧値を出力する。上記電圧値は、マイコン５にＯＳＤ部７に対して操作入力キー８ａの操作説明を行うためのＯＳＤ映像を生成させる操作案内表示信号に対応している。
【００３１】
リモコン８から出力された操作信号と操作案内表示信号に対応した電圧値は、赤外線送信部８ｃにて上記電圧値に対応した所定の波長を有する赤外線信号に変換され、リモコン８外部に出力される。赤外線送信部８ｃから出力された赤外線信号は、赤外線受光変換部５ａにて受信される。赤外線受光変換部５ａは、赤外線送信部８ｃから送信された赤外線信号を、上記操作信号と操作説明信号に対応した電気信号に再度変換しマイコン５に出力する。マイコン５は、再度変換された操作信号と操作説明信号を受け入れて、テレビジョン１０を構成する各構成要素を制御する。
【００３２】
具体的なマイコン５の制御として、リモコン８の操作入力キー８ａにてチャンネル１を選択した場合、マイコン５は、チューナ回路１ａに図示しないアンテナが受信したテレビジョン放送よりチャンネル１に対応するテレビジョン放送を抽出するよう指示を出す。クロマＩＣ回路１ｂは、チューナ回路１ａが抽出した所定の番組に対応するテレビジョン放送を基に映像信号と音声信号を生成する。上記クロマＩＣ回路１ｂにて生成された映像信号と音声信号は、映像信号は映像信号処理回路１ｃに、音声信号は音声信号処理回路４ａにそれぞれ送られ所定の信号処理を施される。
【００３３】
映像信号処理回路１ｃは、上記入力された映像信号より、表示パネル３ｂに表示する一画面単位でのＲＧＢ信号を生成する。上記生成されるＲＧＢ信号は一画面単位での映像のＲ、Ｇ、Ｂの各階調を構成する映像であり、上記階調を組み合わせることでカラー映像を構成する。
【００３４】
スケーラ回路２は、上記生成されたＲＧＢ信号を表示パネル３ｂの画面サイズに対応するよう変換する。具体的には、スケーラ回路２は、上記ＲＧＢ信号を表示パネル３ｂの所定の縦横比に対応する画素数に分割する。また、スケーラ回路２は、後述するＯＳＤ部７からのＯＳＤ映像と、上記ＲＧＢ信号とを合成する役割を果たす。
【００３５】
表示パネル３ｂは、ＲＧＢの各階調を表示する各画素が所定の縦横比を有するマトリクス状に配置して構成されている。駆動回路３ａは、スケーラ回路２にて分割されたＲＧＢ信号を基に所定の電圧値を有する駆動電圧を生成し、上記駆動電圧を各画素に出力することで表示パネル３ｂに映像を表示させる。
【００３６】
音声信号処理回路４ａは、上記クロマＩＣ回路１ｂから出力される音声信号の増幅をマイコン５から出力される音声調整信号の指示に基づいて実行する。具体的には、リモコン８の音声キー８ａ２を音量を増幅させるよう押圧すると、マイコン５は音声キー８ａ２の押圧量に基づいた量だけ音声信号処理回路４ａに音声信号を増幅するよう指示を出す。上記指示を受けて音声信号処理回路４ａは、音声信号を上記音声キー８ａ２の押圧量に基づいたレベルだけ増幅させる。上記増幅された音声信号は、スピーカ４ｂに出力され、上記スピーカ４ｂにて空気振動に変換されることで音声として出力される。
【００３７】
ＯＳＤ部７は、所定の文字列や映像を構成するＯＳＤ映像データを記録したメモリ７ａを有し、メモリ７ａからのＯＳＤ映像データを基にＯＳＤ映像を生成する。上記ＯＳＤ映像は、画面上でリモコン８を用いて所定のアイコンを選択すると次画面に切り替わる階層構造を有する映像であって、上記階層構造を用いてテレビジョン１０の所定の操作説明を画面上に表示することが可能である。
【００３８】
（２）実施例
本発明の一実施形態であるテレビジョン１０は、ＯＳＤ部７が生成するＯＳＤ映像を用いてリモコン８の操作案内を表示する。そのためＯＳＤ部７は、検知部１１と、リモコン操作案内映像生成部１２と、リモコン操作案内映像出力部１３とを有する構成である。
【００３９】
検知部１１は、マイコン５からの指示に基づいてリモコン操作案内映像生成部１２やリモコン操作案内映像出力部１３に指示を出す。具体的には検知部１１は、リモコン８のヘルプキー８ｂを押圧することでマイコン５を介して出力される操作案内表示信号を検知すると、リモコン操作案内映像生成部１２に階層状に構成されたＯＳＤ映像であるリモコン操作案内映像を生成するよう指示を出す。リモコン操作案内映像生成部１２は、上記指示を受けてメモリ７ａに記録されたＯＳＤ映像データを基にリモコン操作案内映像を生成する。
【００４０】
図３は、リモコン操作案内映像生成部１２が生成する階層構造を有するリモコン操作案内映像の図である。同図より、階層構造の頂点である映像Ａは、ヘルプキー８ｂを押圧した際最初に表示されるリモコン操作案内映像のタイトル画面であり、映像Ｂ、映像Ｃ、映像Ｄは、上記タイトル画面上の所定のアイコンを選択することで表示される映像である。以下同様に下層に進む構成となっている。
【００４１】
リモコン操作案内映像出力部１３は、図３のリモコン操作案内映像生成部１２が生成するリモコン操作案内映像の階層構造から、マイコン５からの指示を検知部１１を介して出力される操作案内表示信号に基づいて所定の映像を選択してスケーラ回路２に出力する。
【００４２】
また、上記生成したリモコン操作案内映像を画面上に表示するために、スケーラ回路２は、画素数変換部１４と映像合成部１５とを有し、映像信号処理回路１ｃからの映像とリモコン操作案内映像とを合成する。
【００４３】
リモコン８からの指示に基づいてＯＳＤ部７にてリモコン操作案内映像が生成されると、画素数変換部１４は映像信号処理回路１ｃが生成したＲＧＢ信号の画面サイズの縮小を行う。具体的には、ＲＧＢ信号の画素数を表示パネル３ｂの画素数と同一のものから縦横比を変えず縮小することにより画面上に縮小した映像を表示する。映像合成部１５は、画素数変換部１４にて画面サイズの縮小が行われたＲＧＢ信号を画面の左上側に表示するよう、リモコン操作案内映像生成部１３にて生成されるリモコン操作案内映像と合成する。
【００４４】
図４は、リモコン操作案内映像生成部１２が生成するリモコン操作案内映像のタイトル画面である。図５は、リモコン操作案内映像生成部１２が生成するリモコン操作案内映像の一部である。同図４より、画面下部にリモコン８の操作説明文を表示している。また、同図５より、画面の下部にリモコン８の操作説明文を表示するとともに、画面右側にリモコン８の操作入力キーの配置図が表示されている。また、画面左上は映像信号処理回路１ｃから出力される映像を表示するスペースである。
【００４５】
上記リモコン操作案内映像は、画面の下部に表示されたリモコン８の操作説明文を、リモコン８の操作入力キー８ａを押圧して画面上で選択すると、上記選択された操作説明文を説明するために、画面の右側に表示されたリモコン８の入力キーの配置図が上記選択された操作説明文に対応する操作に基づいて点滅する映像を図２に示した階層構造を利用して実現している。以下に概略としてリモコン操作案内映像の仕組みを説明する。
【００４６】
リモコン８のヘルプキー８ｂを押圧すると、マイコン５は検知部１１を介してリモコン操作案内映像生成部１２にリモコン操作案内映像を生成するよう指示を出す。さらに、リモコン操作案内映像出力部１３に上記生成した図４のリモコン操作案内映像のタイトル画面を出力するよう指示を出す。リモコン操作案内映像出力部１３は、上記選択したタイトル画面をスケーラ回路２に出力する。スケーラ回路２に出力されたタイトル画面は、縮小されたＲＧＢ信号と合成され表示パネル３ｂに表示される。
【００４７】
次に、出力された図４のタイトル画面にて２の画質調整を選択すると、検知部１１は、リモコン操作案内映像出力部１３に図３のＢの映像を選択するよう指示を出す。この時、画面上では、操作説明文に「メニューキーを押してください」と表示され、右側には、リモコンの操作入力キーの配置図には、メニューキー８ａ４が点滅した映像が表示される。
【００４８】
上記状態で、リモコン８のメニューキー８ａ４を押圧すると、マイコン５はリモコン８からの操作信号を受け入れるとともに、検知部１１にリモコン操作案内映像出力部１３に下層のＢ２の映像を選択して出力するよう指示を出す。図６に上記状態で表示されるリモコン操作案内映像の図である。同図より、操作説明文として「１．ブライト、２．ティント、３．カラー」の文字列が表示され、画面の右側に表示されるリモコン８の操作キーの配置図には、番号キーの１と２と３が点滅する映像が表示される。
【００４９】
以下簡略化するために、マイコン５の実行処理を省略して説明する。上記映像を表示した状態でリモコン８の番号キーの１を選択すると、同様の処理を行い、次画面で図７のリモコン操作案内映像を表示する。同図より、操作説明文に「上げる」「下げる」の文字列が表示され、右側のリモコンの操作キーの配置図のアップダウンキー８ａ３が点滅した映像が表示される。この状態で、リモコン８のアップダウンキー８ａ３を押圧して画面のブライトを調整すると、画面左上の映像のブライト（明るさ）が切り替わり。ユーザが画面を見ながら調整を行うことができる。
【００５０】
最後に図８のリモコン操作案内映像が表示される。同図は、操作説明文に「メニューキーを押して調整を終了して下さい」の文字が表示され、右側のリモコンの操作入力キーの配置図はメニューキー８ａ４が点滅した映像が表示される。この状態で、リモコン８のメニューキー８ａ３を押圧すると、画面下部に表示されていた操作説明文と、右側に表示されていたリモコンの操作キー配置画面下部と右側に表示されたリモコン操作案内映像が画面から消え、画面左上に表示されていた映像が表示パネル３ｂの表示画面と同等の大きさに拡大する。
【００５１】
（３）変形例１
また、マイコン５は、リモコン８からの指示に基づいて、上記リモコン操作案内映像出力部１３に、上級、中級、初級の３段階のレベルに合わせてリモコン操作案内映像の一部の映像を段階的に省略するよう指示するリモコン操作案内映像変更プログラムを記録する記録部６を有する構成である。具体的には、今仮に画質を調整する操作を説明するためのリモコン操作案内映像を表示させていると仮定する。図４のタイトル画面上でリモコン操作案内映像の表示レベルを、上級、中級、初級のいずれかを選択すると、画面に表示されるリモコン操作案内映像の数が省略されて表示されるようになる。これにより、ユーザがリモコン操作に熟知してくると、段階的にリモコン操作案内表示を省略することが可能となる。
【００５２】
図９は、リモコン操作案内映像出力部が、表示レベルの上級、中級、初級に対応して選択する映像を示す図である。同図より、二段目のＢ２、Ｃ２、Ｄ２画面で表示レベルの上級、中級、初級の３つに分岐する。これにより、タイトル画面にて表示レベルの中級を選んだ場合は、リモコン操作案内映像出力部１３は、Ｂ２の階層にて中級に対応した映像を選択し以下順に出力していく。
【００５３】
上述した画質調整を案内するリモコン操作案内映像を例にすると、タイトル画面にて表示レベルの上級を選択した場合は、タイトル画面以後は、画面下部の操作説明文のみ初級と同様に表示されるが、右側に表示されたリモコン操作キーの配置図は点滅表示を中止する。
【００５４】
図１０は記録部６が記録するリモコン操作案内映像変更プログラムのフローチャートである。以下に同図を用いて説明する。リモコン操作案内映像上で、画面下部に表示される操作説明文にて操作レベルの切り替えを選択すると、マイコン５は、検知部１１にリモコン操作案内映像出力部１３に操作説明文に上級、中級、初級の選択項目が表示された画像を選択するよう指示を出す（ステップＳ１００、Ｓ１１０）。次に、リモコン操作案内映像上で操作説明文に表示されるレベルの選択がなされると（ステップＳ１２０）、マイコン５は、検知部１１にリモコン操作案内映像に上記選択されたレベルに対応する映像を選択するよう指示を出す（ステップＳ１３０）。
【００５５】
最後にマイコン５は、検知部１１に上記選択したリモコン操作案内映像を表示するよう指示を出し、リモコン操作案内映像出力部１３は検知部１１からの指示を受けて選択したレベルに対応したリモコン操作案内映像を出力する（ステップＳ１４０）。このようにしてリモコン操作案内映像変更プログラムはリモコン操作案内映像の表示レベルを変更する。
【００５６】
（４）変形例２
また記録部６は、リモコン操作案内映像変換プログラムをリモコン８のヘルプキー８ｂを押圧することで解除し、リモコン操作案内映像出力部１３に上記省略したリモコン操作案内映像の所定の階層の映像を出力させる省略解除プログラムとを記録する。これにより、例えば、リモコン操作案内を上級レベルで表示させている場合でも、仮に操作の仕方がわからなくなった場合に、ヘルプキー８ｂを押すことでそれ以後のリモコン操作案内映像を表示することが可能となる。
【００５７】
例えばタイトル画面上にて表示レベルの上級を選択して画質調整を案内するリモコン操作案内映像を表示して、映像Ｂ３にてブライト、ティント、カラーの選択の仕方が解らなくなった場合、リモコン８のヘルプキー８ｂを押圧することで、画面右側に表示されるリモコン操作キーの配置図の番号キーが点滅を始め、ユーザに案内を表示する。この時、リモコン操作案内映像出力部１３は、Ｂ３の映像の左端のＢ３ａの映像を選択する。のこれにより、リモコンの操作入力を急に忘れてしまった場合でも対処することが可能となる。
【００５８】
図１１は、記録部が記録する省略解除プログラムのフローチャートである。上記フローチャートは図１０のステップＳ１４０の実行中に実行されるフローチャートである。以下図１１を用いて省略解除プログラムを説明する。所定の表示レベルでのリモコン操作案内映像を表示している最中に、ヘルプキー８ｂを押圧すると、マイコン５は上記ヘルプキーからの信号を受け付け（ステップＳ２００）、マイコン５は検知部１１にリモコン操作案内映像出力部１３にリモコン操作案内映像を初級に変更するよう指示を出す（ステップＳ２１０）。上記指示を受付リモコン操作案内映像出力部１３は、リモコン操作案内映像のレベルを初級レベルの同階層の映像に選択し直す。上記処理を実行した後、マイコン５は図１０のステップＳ１４０に戻り、以後検知部１１にリモコン操作案内映像を表示するよう指示を出す。
【００５９】
（３）まとめ
外部から入力された映像信号を基に表示パネルに映像を表示するための映像信号を生成する第一の映像生成手段と、リモコンからの指示に基づいて、画面上に上記リモコンの操作説明を行うためのリモコン操作案内映像を生成する第二の映像生成手段とを有する映像出力装置において、
上記第一の映像生成手段にて生成される映像信号の画面サイズの縮小を行う画素数変換手段と、上記画素数変換手段にて画面サイズの縮小が行われた映像信号を上記第二の映像生成手段にて生成されるリモコン操作案内映像とを合成する映像合成手段とを有する。
【００６０】
また、請求項３に記載の発明は請求項２に記載の映像出力装置であって、上記リモコンは、上記第二の映像生成手段にリモコン操作案内映像を生成する指示を出すヘルプキーを有し、
上記第二の映像生成手段は、画面の下部に表示された上記リモコンの操作説明文を、画面の右側に表示された同リモコンの入力キーの配置図を同操作説明文に基づいて点滅することで案内していくリモコン操作案内映像を生成するリモコン操作案内映像生成手段と、上記ヘルプキーを押圧した際、上記リモコン操作案内映像を選択して出力するリモコン操作案内映像出力手段とを有する構成である。
【００６１】
ようするに、請求項２に記載の映像出力装置であって、第二の映像生成手段は、画面の下部に表示された上記リモコンの操作説明文を、画面の右側に表示された同リモコンの入力キーの配置図を同操作説明文に基づいて点滅することで案内していくリモコン操作案内映像を生成し、ヘルプキーを押圧した際、上記生成されたリモコン操作案内映像は、リモコン操作案内映像出力手段にて所定の映像を選択して出力されるので、リモコン操作に不慣れなユーザでも画面で確認しながらリモコン操作を行うことができる。
【００６２】
また、請求項４に記載の発明は請求項３に記載の映像出力装置であって、上記第二の映像生成手段は、上記リモコンからの指示に基づいて、上記リモコン操作案内映像出力手段に上記リモコン操作案内映像を変更するよう指示を出すリモコン操作案内映像変更プログラムを記録する記録部を有する構成である。
【００６３】
ようするに、請求項３に記載の映像出力装置であって、上記第二の映像生成手段は、所定のプログラムを記録する記録部を有する。上記記録部に記録されたリモコン操作案内映像変換プログラムは、上記リモコンからの指示に基づいて、上記リモコン操作案内映像出力手段に上記リモコン操作案内映像を変更するよう指示を出すので、リモコン操作の習熟度に応じて操作案内を変更することができる。
【００６４】
また、請求項５に記載の発明は請求項４に記載の映像出力装置であって、上記記録部が記録するリモコン操作案内映像変更プログラムは、使用者のリモコン操作の習熟度に合わせて、上記リモコン操作案内映像の上記操作説明文や、同操作説明文に対応するリモコンの入力キーの配置図の点滅を省略するよう上記リモコン操作案内映像出力手段に指示を出す構成である。
【００６５】
ようするに、請求項４に記載の映像出力装置であって、リモコン操作案内映像変更プログラムは、使用者のリモコン操作の習熟度に合わせて、上記リモコン操作案内映像の上記操作説明文や、同操作説明文に対応するリモコンの入力キーの配置図の点滅を省略するよう上記リモコン操作案内映像出力手段に指示を出すので、ユーザのリモコンの習熟度に応じたリモコン操作案内映像を提供することができる。
【００６６】
また、請求項６に記載の発明は請求項４または請求項５に記載の映像出力装置であって、上記記録部は、上記リモコン操作案内映像を省略する上記リモコン操作案内映像変換プログラムを、上記ヘルプキーを押圧した場合に解除し、上記リモコン操作案内映像出力手段に再度上記リモコン操作案内映像を出力させる省略解除プログラムを有する構成である。
【００６７】
つまり、請求項４または請求項５に記載の映像出力装置であって、上記記録部は、省略解除プログラムを記録する。上記省略解除プログラムは、上記リモコン操作案内映像を省略する上記リモコン操作案内映像変換プログラムを、上記ヘルプキーを押圧した場合に解除し、上記リモコン操作案内映像出力手段に再度上記リモコン操作案内映像を出力させるので、ユーザ個々のリモコンの習熟度に対応することができる。
【００６８】
また、請求項７に記載の発明は請求項２〜請求項６のいずれかに記載の映像出力装置であって、上記第二の映像生成手段は、所定の文字や映像を構成するＯＳＤ映像データを記録したメモリを有し、上記メモリからの映像データを基に画面上で所定のアイコンを選択することにより次画面に切り替わる階層構造を有するＯＳＤ映像を生成するＯＳＤ部にて実現され、上記画素数変換手段と、上記映像合成手段とは、入力された映像信号を上記表示パネルの画面サイズに対応するよう変換するスケーラ回路にて実現される構成である。
【００６９】
つまり、請求項２〜請求項６のいずれかに記載の映像出力装置であって、上記第二の映像生成手段は、ＯＳＤ部内にて実現され、上記画素数変換手段と、上記映像合成手段とは、スケーラ回路内にて実現されるので、既存のテレビジョンに適応させることができる。
【００７０】
なお、本発明は上記実施例に限られるものでないことは言うまでもない。当業
者であれば言うまでもないことであるが、 
・上記実施例の中で開示した相互に置換可能な部材および構成等を適宜その組み
合わせを変更して適用すること 
・上記実施例の中で開示されていないが、公知技術であって上記実施例の中で開
示した部材および構成等と相互に置換可能な部材および構成等を適宜置換し、ま
たその組み合わせを変更して適用すること 
・上記実施例の中で開示されていないが、公知技術等に基づいて当業者が上記実
施例の中で開示した部材および構成等の代用として想定し得る部材および構成等
と適宜置換し、またその組み合わせを変更して適用すること 
は本発明の一実施例として開示されるものである。 
【図面の簡単な説明】
【００７１】
【図１】テレビジョンの構成を示すブロック構成図である。
【図２】リモコンの構成図である。
【図３】リモコン操作案内映像生成部が生成するリモコン操作案内映像の階層構造の図である。
【図４】リモコン操作案内映像生成部が生成するタイトル画面の図である。
【図５】リモコン操作案内映像生成部が生成するリモコン操作案内映像の一部である。
【図６】リモコン操作案内映像生成部が生成するリモコン操作案内映像の一部である。
【図７】リモコン操作案内映像生成部が生成するリモコン操作案内映像の一部である。
【図８】リモコン操作案内映像生成部が生成するリモコン操作案内映像の一部である。
【図９】リモコン操作案内映像出力部が、上級、中級、初級に対応して選択する映像を示す図である。
【図１０】記録部６が記録するリモコン操作案内映像変更プログラムのフローチャートである。
【図１１】記録部が記録する省略解除プログラムのフローチャートである。
【符号の説明】
【００７２】
線送信部
１０…テレビジョン
１１…検知部
１２…リモコン操作案内映像生成部
１３…リモコン操作案内映像出力部
１４…画素数変換部
１５…映像合成部
【図１】
2007228163.tif 000003
【図２】
2007228163.tif 000004
【図３】
2007228163.tif 000005
【図４】
2007228163.tif 000006
【図５】
2007228163.tif 000007
【図６】
2007228163.tif 000008
【図７】
2007228163.tif 000009
【図８】
2007228163.tif 000010
【図９】
2007228163.tif 000011
【図１０】
2007228163.tif 000012
【図１１】
2007228163.tif 000013